(57)【要約】【課題】本発明は、特性劣化を招きにくい広帯域の増幅器を提供することを目的とする。【解決手段】動作電流調整手段Ａは、増幅回路１２の出力信号の帯域成分を高域通過フィルタ１４を介して検出し、検出した信号の帯域の高低に基づいて、帯域が所定の値よりも低いときには、増幅回路１２の動作電流の大きさが小さくなるように調整信号発生回路１７が調整するので、これを光ディスク装置のピックアップの増幅器に使用した場合には、光ピックアップの温度上昇を招きにくくなり、放熱対策を施さなくとも、光ピックアップの特性劣化を生じさせない。【選択図】　　　図１
2004032002.tif 000002
【特許請求の範囲】
【請求項１】
入力信号を増幅する増幅回路と、
前記増幅回路の出力信号を検出し検出された前記出力信号の帯域の高低に基づいて前記増幅回路の動作電流の大きさを調整する動作電流調整手段と
を備えた増幅器。
【請求項２】
前記動作電流調整手段は、
前記出力信号の帯域が所定の値よりも低いときには、前記動作電流の大きさが小さくなるように調整することを特徴とする
請求項１記載の増幅器。
【請求項３】
前記動作電流調整手段は、
前記増幅回路からの出力信号を入力とし所定の帯域より高域の信号を通過させる高域通過フィルタと、
前記高域通過フィルタを通過した出力信号の大きさに基づいて前記増幅回路の動作電流を調整する調整信号発生回路と
を備えることを特徴とする請求項１記載の増幅器。
【請求項４】
前記動作電流調整手段は、
前記高域通過フィルタを通過した出力信号のレベルを検出・保持し前記調整信号発生回路へと前記出力信号のレベルを出力するレベル検出・保持回路をさらに備え、
前記調整信号発生回路は前記レベル検出・保持回路の出力の大きさに基づいて前記増幅回路の動作電流を調整することを特徴とする
請求項３記載の増幅器。
【請求項５】
前記動作電流調整手段は、
前記高域通過フィルタを通過した出力信号のピーク値を検波・保持し前記調整信号発生回路へと前記出力信号のピーク値を出力するピーク検波・保持回路をさらに備え、
前記調整信号発生回路は、前記ピーク検波・保持回路の出力の大きさに基づいて前記増幅回路の動作電流を調整することを特徴とする
請求項３記載の増幅器。
【請求項６】
前記動作電流調整手段は、
前記高域通過フィルタを通過した出力信号のボトム値を検波・保持し前記調整信号発生回路へと前記出力信号のボトム値を出力するボトム検波・保持回路をさらに備え、前記調整信号発生回路は、前記ボトム検波・保持回路の出力の大きさに基づいて前記増幅回路の動作電流を調整することを特徴とする
請求項３記載の増幅器。
【請求項７】
前記高域通過フィルタは、
前記所定の帯域を変更することが可能な帯域可変高域通過フィルタであることを特徴とする
請求項３〜請求項６の何れかに記載の増幅器。
【請求項８】
外部信号を入力として前記外部信号から所定の時間経過後にタイミング信号を生成し出力するタイミング信号生成回路をさらに備え、
前記タイミング信号を前記外部制御信号として前記帯域可変高域通過フィルタの前記所定の帯域を変更することを特徴とする
請求項７記載の増幅器。
【請求項９】
外部信号を入力として前記外部信号から第１の所定の時間経過後に第１のタイミング信号を生成し第２の所定の時間経過後に第２のタイミング信号を生成するタイミング信号生成回路をさらに備え、
前記第１のタイミング信号が入力されると前記レベル検出・保持回路は前記出力信号のレベルを前記調整信号発生回路へと出力し、前記第２のタイミング信号が入力されると前記帯域可変高域通過フィルタは前記所定の帯域を変更することを特徴とする
請求項７記載の増幅器。
【請求項１０】
外部信号を入力として前記外部信号から所定の時間経過後にタイミング信号を生成し出力するタイミング信号生成回路をさらに備え、
前記タイミング信号が入力されると前記レベル検出・保持回路は前記出力信号のレベルを前記調整信号発生回路へと出力することを特徴とする
請求項４記載の増幅器。
【請求項１１】
前記増幅回路は、入力信号を電流信号から電圧信号へ変換する電流電圧変換回路であることを特徴とする
請求項１〜請求項１０の何れかに記載の増幅器。
【請求項１２】
前記増幅回路は、
非反転入力端子と反転入力端子とを有する差動増幅回路と、
前記差動増幅回路の出力信号を前記反転入力端子へと帰還するインピーダンス素子と、
電圧を前記非反転入力端子へと出力する電源と
を備えていることを特徴とする
請求項１〜請求項１０の何れかに記載の増幅器。
【請求項１３】
前記レベル検出・保持回路は、
検出結果保持制御信号を検出したタイミングに保持した信号を前記調整信号発生回路に出力することを特徴とする
請求項４記載の増幅器。
【請求項１４】
光ディスクを回転するスピンドルモータと、光ディスクにレーザービームを照射しその反射光を検出する光ピックアップと、前記光ピックアップからの出力信号に所定の処理を施すフロントエンドプロセッサと、前記スピンドルモータ及び前記光ピックアップの制御を行うサーボコントローラと、誤り訂正処理や信号再生処理等のディジタル信号処理を行うディジタル信号処理プロセッサとを備えた光ディスク装置であって、
前記光ピックアップが請求項１〜請求項１３の何れかに記載の増幅器を備えていることを特徴とする
光ディスク装置。
【発明の詳細な説明】
【０００１】
【発明の属する技術分野】
本発明は、光ディスク装置などに使用される増幅器に関するものである。
【０００２】
【従来の技術】
図１４は従来の代表的な光電変換装置を示す。
図１４において、増幅器としての電流電圧変換回路１は、差動増幅器２と基準電圧源およびインピーダンス素子としての抵抗器４とで構成されており、電流入力端子５に接続された受光素子６の光電変換出力を増幅して電圧出力端子７を介して信号出力端子８に出力する。
【０００３】
電流電圧変換回路１は、差動増幅器２の非反転入力端子（＋）に基準電圧源３が接続され、反転入力端子（−）に受光素子６のカソードが接続され、出力端子７と反転入力端子（−）の間に抵抗４が接続されることにより、差動増幅器２の出力電圧は抵抗４を介して反転入力端子（−）に負帰還される。これにより、差動増幅回路２は平衡状態となる。
【０００４】
【発明が解決しようとする課題】
このような光電変換装置は、光ディスク装置などの光ピックアップに使用されている。この場合、それが搭載されている光ディスク装置の高倍速再生動作を達成するために、差動増幅回路２の動作電流を増大させる方法が採られるため、光電変換装置の発熱量が増大し、光電変換装置のそれ自体や、光電変換装置と近接して配置された電子部品の特性劣化を招来するという問題がある。
【０００５】
そこで、実用上、光ディスクからの信号の読み取りを行う装置においては、その構成要素の一つであり、消費エネルギー密度の高い光電変換装置からの放熱を促進するために、次のような手段を用いている。
【０００６】
すなわち、光ディスクと、それが近接配置されている光電変換装置との間に発生する層流を有効に放熱に利用するために、高度な設計技術に基づいた高価な筐体を採用していた。あるいは、放熱効果を高めるために、空間余裕の多い筐体を採用していた。
【０００７】
しかしながら、上記従来の光ディスク装置においては、さまざまな反射率のディスクの再生可能性を求められることが多く、光の反射率の低いディスク媒体（例えば、ＤＶＤ−ＲＡＭや、反射面が汚染されたＤＶＤ−ＲＯＭ）の再生の際のディスク回転速度は、Ｓ／Ｎの観点から、光の反射率の高いディスク媒体（例えば、ＤＶＤ−ＲＯＭ）の再生の際の回転速度の、数分の１ないし十分の一程度に低下させざるを得ないので、その場合、必然的に、上述の層流を期待した放熱の効果が得られにくくなり、光電変換装置の特性劣化を招いていた。勿論、前者（ＤＶＤ−ＲＡＭ）の場合は、媒体判別の結果に基づき、ゲインを高めるべく制御信号が光電変換回路に与えられるので、その信号を光電変換回路の動作電流低減にも利用する方法が採られることがある。しかし、後者（反射面が汚染されたＤＶＤ−ＲＯＭ）の場合は、電流低減のための制御信号を専用に設けなければならないため、その制御信号の発生手段が別途必要であることもあり、電流低減が現実的でない場合が多い。また、空間余裕の多い筐体を採用している場合には、光ディスク装置の小型化を断念せざるを得ないという問題点がある。
【０００８】
本発明は、かかる問題に鑑みてなされるもので、特性劣化を招きにくい広帯域の増幅器を提供することを目的とする。
【０００９】
【課題を解決するための手段】
本発明の請求項１記載の増幅器は、入力信号を増幅する増幅回路と、前記増幅回路の出力信号を検出し検出された前記出力信号の帯域の高低に基づいて前記増幅回路の動作電流の大きさを調整する動作電流調整手段とを備えたことを特徴とする。
【００１０】
本発明の請求項２記載の増幅器は、請求項１において、前記動作電流調整手段は、前記出力信号の帯域が所定の値よりも低いときには、前記動作電流の大きさが小さくなるように調整することを特徴とする。
【００１１】
本発明の請求項３記載の増幅器は、請求項１において、前記動作電流調整手段は、前記増幅回路からの出力信号を入力とし所定の帯域より高域の信号を通過させる高域通過フィルタと、前記高域通過フィルタを通過した出力信号の大きさに基づいて前記増幅回路の動作電流を調整する調整信号発生回路とを備えることを特徴とする。
【００１２】
本発明の請求項４記載の増幅器は、請求項３において、前記動作電流調整手段は、前記高域通過フィルタを通過した出力信号のレベルを検出・保持し前記調整信号発生回路へと前記出力信号のレベルを出力するレベル検出・保持回路をさらに備え、前記調整信号発生回路は前記レベル検出・保持回路の出力の大きさに基づいて前記増幅回路の動作電流を調整することを特徴とする。
【００１３】
本発明の請求項５記載の増幅器は、請求項３において、前記動作電流調整手段は、前記高域通過フィルタを通過した出力信号のピーク値を検波・保持し前記調整信号発生回路へと前記出力信号のピーク値を出力するピーク検波・保持回路をさらに備え、前記調整信号発生回路は、前記ピーク検波・保持回路の出力の大きさに基づいて前記増幅回路の動作電流を調整することを特徴とする。
【００１４】
本発明の請求項６記載の増幅器は、請求項３において、前記動作電流調整手段は、前記高域通過フィルタを通過した出力信号のボトム値を検波・保持し前記調整信号発生回路へと前記出力信号のボトム値を出力するボトム検波・保持回路をさらに備え、前記調整信号発生回路は、前記ボトム検波・保持回路の出力の大きさに基づいて前記増幅回路の動作電流を調整することを特徴とする。
【００１５】
本発明の請求項７記載の増幅器は、請求項３〜請求項６の何れかにおいて、前記高域通過フィルタは、前記所定の帯域を変更することが可能な帯域可変高域通過フィルタであることを特徴とする。
【００１６】
本発明の請求項８記載の増幅器は、請求項７において、外部信号を入力として前記外部信号から所定の時間経過後にタイミング信号を生成し出力するタイミング信号生成回路をさらに備え、前記タイミング信号を前記外部制御信号として前記帯域可変高域通過フィルタの前記所定の帯域を変更することを特徴とする。
【００１７】
本発明の請求項９記載の増幅器は、請求項７において、外部信号を入力として前記外部信号から第１の所定の時間経過後に第１のタイミング信号を生成し第２の所定の時間経過後に第２のタイミング信号を生成するタイミング信号生成回路をさらに備え、前記第１のタイミング信号が入力されると前記レベル検出・保持回路は前記出力信号のレベルを前記調整信号発生回路へと出力し、前記第２のタイミング信号が入力されると前記帯域可変高域通過フィルタは前記所定の帯域を変更することを特徴とする。
【００１８】
本発明の請求項１０記載の増幅器は、請求項４において、外部信号を入力として前記外部信号から所定の時間経過後にタイミング信号を生成し出力するタイミング信号生成回路をさらに備え、前記タイミング信号が入力されると前記レベル検出・保持回路は前記出力信号のレベルを前記調整信号発生回路へと出力することを特徴とする。
【００１９】
本発明の請求項１１記載の増幅器は、請求項１〜請求項１０の何れかにおいて、前記増幅回路は、入力信号を電流信号から電圧信号へ変換する電流電圧変換回路であることを特徴とする。
【００２０】
本発明の請求項１２記載の増幅器は、請求項１〜請求項１０の何れかにおいて、前記増幅回路は、非反転入力端子と反転入力端子とを有する差動増幅回路と、前記差動増幅回路の出力信号を前記反転入力端子へと帰還するインピーダンス素子と、電圧を前記非反転入力端子へと出力する電源とを備えていることを特徴とする。
【００２１】
本発明の請求項１３記載の増幅器は、請求項４において、前記レベル検出・保持回路は、検出結果保持制御信号を検出したタイミングに保持した信号を前記調整信号発生回路に出力することを特徴とする。
【００２２】
本発明の請求項１４記載の光ディスク装置は、光ディスクを回転するスピンドルモータと、光ディスクにレーザービームを照射しその反射光を検出する光ピックアップと、前記光ピックアップからの出力信号に所定の処理を施すフロントエンドプロセッサと、前記スピンドルモータ及び前記光ピックアップの制御を行うサーボコントローラと、誤り訂正処理や信号再生処理等のディジタル信号処理を行うディジタル信号処理プロセッサとを備えた光ディスク装置であって、前記光ピックアップが請求項１〜請求項１３の何れかに記載の増幅器を備えていることを特徴とする。
【００２３】
本発明によれば、光ディスクの信号再生において、低倍速の信号に対しては、増幅回路の動作電流を低減できるので、光ピックアップに放熱対策を施さなくとも、光ピックアップの特性劣化を生じさせない。なお、高倍速の信号に対しては、光ディスクと近接配置されたピックアップ周辺に発生する層流による放熱効果が高まるので、増幅回路からの発熱は、ピックアップの温度上昇を招きにくくなり、放熱対策を施さなくとも、ピックアップの特性劣化を生じさせない。さらには、増幅回路の製造ばらつきにより、動作電流が少ない場合でも動作周波数が十分高い増幅回路が得られた場合には、本質的に必要十分な動作電流を学習することができるので、その学習結果に基づき動作電流が低減されるように制御が行われるので、光ピックアップの発熱を低減することが可能である。
【００２４】
【発明の実施の形態】
以下、本発明の各実施の形態を図１〜図１３，図１５に基づいて説明する。
（実施の形態１）
図１は本発明の（実施の形態１）の増幅器を示す。
【００２５】
信号入力端子１１に入力された信号は、増幅回路１２を介して増幅され、信号出力端子１３に出力される。１４は所定の帯域より高域の信号を通過させる高域通過フィルタで、信号出力端子１３に出力され信号の低域成分の通過を減衰させる。１５はレベル検出・保持回路で、検出結果保持制御信号入力端子１６から指示されるタイミングに高域通過フィルタ１４を通過した高域成分の信号レベルを検出して保持する。１７は調整信号発生回路で、レベル検出・保持回路１５の出力信号が予め定められたレベルより小さい場合に増幅回路１２の動作電流を未調整時より小さくするように調整する信号を発生する。
【００２６】
この実施の形態では、高域通過フィルタ１４とレベル検出・保持回路１５および調整信号発生回路１７とで、増幅回路１２の出力信号を検出し検出された前記出力信号の帯域の高低に基づいて増幅回路１２の動作電流の大きさを調整する動作電流調整手段Ａが構成されている。
【００２７】
動作に基づいて構成を詳しく説明する。
まず、高域通過フィルタ１４の遮断周波数をＦｃとし、そのＦｃに対して、典型的な２通りの入力信号が、調整信号発生回路１７が未調整である状態で与えられた場合を想定して、動作を説明する。
【００２８】
ここで、調整信号発生回路１７が未調整である状態とは、レベル検出・保持回路１５が初期状態の場合の調整信号発生回路１７の状態であって、その場合の増幅回路１２の帯域の上限周波数は高域通過フィルタ１４の遮断周波数：Ｆｃよりも高い周波数まで伸びている。かつシステムが想定している最高入力周波数：Ｆｉｎ（ｓｙｓｔｅｍ　ｍａｘ）より高く設定されている。
【００２９】
まず、信号入力端子１１からの入力信号の帯域の上限周波数：Ｆｉｎ（Ｍａｘ）がＦｃ未満である第１の場合には、高域通過フィルタ１４からは信号が出力されないので、検出結果保持制御信号入力端子１６からの指示の有無にかかわらずレベル検出・保持回路１５の出力は無信号である。
【００３０】
次に、入力信号の帯域の上限周波数：Ｆｉｎ（Ｍａｘ）がＦｃ以上である第２の場合には、高域通過フィルタ１４から信号が出力され、レベル検出・保持回路１５は検出結果保持制御信号入力端子１６からの指示を検出したタイミング後には第１の場合よりも大きな値を出力する。
【００３１】
第１の場合には、増幅回路１２の動作電流は未調整の状態よりも小さくなり、調整信号発生回路１７の出力によって増幅回路１２の周波数特性が未調整の時よりも低下させられる。このときの増幅回路１２の周波数特性の上限周波数は高域通過フィルタ１４の遮断周波数Ｆｃよりも僅かだけ高い程度である。
【００３２】
第２の場合には、調整信号発生回路１７の出力によって増幅回路１２の動作電流は、未調整の状態が維持される。
この構成により、高域通過フィルタ１４の遮断周波数Ｆｃを下回る信号が信号入力端子１１から与えられた場合には、検出結果保持制御信号入力端子１６からの指示を検出し学習により増幅回路１２の動作電流は、未調整の時よりも自動的に低減される。
【００３３】
このような動作電流調節機能を有する増幅器は、図１５に示すような一般的な光ディスク装置における光ピックアップに使用して特に有効である。
簡単に、この光ディスク装置の構成を説明する。
【００３４】
１８は光ディスクであり、具体的にはＤＶＤ−ＲＯＭ、ＤＶＤ−ＲＡＭ、ＤＶＤ−Ｒ、ＤＶＤ−ＲＷ、ＣＤ、ＣＤ−Ｒ、ＣＤ−ＲＷ等である。１９は光ディスク１８を回転させるスピンドルモータである。２０は本発明の増幅器を内蔵した光ピックアップであり、光ディスク１８にレーザー光を照射し、その反射光を検出し、検出信号を増幅して出力する。２１はフロントエンドプロセッサであり、光ピックアップ２０の出力にアナログ演算、フィルタリング等の処理を施すものである。２２はサーボコントローラで、スピンドルモータ１９のサーボ制御に加え、光ピックアップ２０のフォーカスサーボ制御、トラッキングサーボ制御、レーザーパワー制御なども行う。２３はディジタル信号処理プロセッサであり、誤り訂正処理、信号再生処理などのディジタル信号処理などを行う。２４はシステムコントローラであり、サーボコントローラ２２とディジタル信号処理プロセッサ２３の制御を行うことにより、光ディスクの全体制御を司っている。
【００３５】
この光ディスク装置の光ピックアップ２０の増幅器として図１に示した増幅器を用いることにより、光ピックアップ２０に特殊な筐体を採用しなくとも、放熱効果を高めることができる。特に、光ディスク１８の回転速度が遅いときに有効である。
【００３６】
つまり、図１の信号入力端子１１から入力される信号帯域が狭い場合、すなわち、光ディスクの再生速度が低倍速である場合には、増幅回路１２の消費電力が低く抑えられるので、光ディスクの回転により発生する層流の放熱効果が低下しても、動作電流調整機能を備えた増幅器を搭載した光ピックアップの温度上昇が軽減され、特性劣化を回避できる。
【００３７】
（実施の形態２）
図２は本発明の（実施の形態２）の増幅器を示す。
図１に示した（実施の形態１）との違いは、レベル検出・保持回路１５の代わりに、検波・保持回路２５を採用している点である。
【００３８】
検波・保持回路２５は、検出結果保持制御信号入力端子１６からの指示を検出して高域通過フィルタ１４の出力信号のピーク値を検波し、保持するものである。
【００３９】
調整信号発生回路１７は検波・保持回路２５の出力する信号レベルに応じて増幅回路１２の動作電流を制御する。つまり、検出結果保持制御信号入力端子１６からの指示を検出して検波・保持回路２５が大きなピーク値を検出して保持しない場合には、調整信号発生回路１７は増幅回路１２の動作電流を減少させて増幅回路１２の周波数特性を自動的に低下させるように制御する。
【００４０】
なお、この（実施の形態２）ではピーク値を検波して保持する検波・保持回路２５を採用したが、検波・保持回路２５として、ボトム値を検波して保持するよう構成したものを採用しても、同様に増幅回路１２の動作電流を制御できる。つまり、検出結果保持制御信号入力端子１６からの指示を検出して検波・保持回路２５が大きなボトム値を検出して保持しない場合には、調整信号発生回路１７は増幅回路１２の動作電流を減少させて増幅回路１２の周波数特性を自動的に低下させるように制御する。
【００４１】
（実施の形態３）
図３は本発明の（実施の形態３）の増幅器を示す。
図１に示した（実施の形態１）との違いは、固定された遮断周波数を持つ高域通過フィルタ１４の代わりに、複数の遮断周波数の設定が可能な帯域可変高域通過フィルタ２６を採用している点である。
【００４２】
帯域可変高域通過フィルタ２６は、帯域制御信号が帯域制御信号入力端子２７から与えられるようになっている点である。具体的には、端子２７に印加される帯域制御信号によって、遮断周波数Ｆｃ１の動作状態と遮断周波数Ｆｃ２の動作状態とに切り替えが可能であるので、図１の場合よりも、増幅回路１２のさらに細かい動作電流の調整が可能となる。ここで　Ｆｃ１　＜　Ｆｃ２　である。
【００４３】
なお、（実施の形態２）の検波・保持回路２５を採用した場合も、帯域可変高域通過フィルタ２６を採用することによって、増幅回路１２のさらに細かい動作電流の調整が可能となる。
【００４４】
（実施の形態４）
図４は本発明の（実施の形態４）の増幅器を示す。
図３に示した（実施の形態３）との違いは、帯域可変高域通過フィルタ２６の遮断周波数が、外部から与えられる電源投入や動作状態の切り替え遷移検出信号などの起動信号をもとにタイミング信号生成回路２８で生成された制御信号に従って行われることである。その動作を、図９〜図１１を用いながら説明する。
【００４５】
帯域可変高域通過フィルタ２６の周波数が、離散的に変化させられる場合の例である。ここでは、遮断周波数Ｆｃ（Ｈｉｇｈ）とＦｃ（Ｌｏｗ）の２つのが設定可能なフィルタを想定している。Ｆｃ（Ｈｉｇｈ）　＞　Ｆｃ（Ｌｏｗ）である。
【００４６】
まず、入力信号の帯域の上限Ｆｉｎ（Ｍａｘ）がＦｃ（Ｈｉｇｈ）以上である第１の場合について、図９を用いて説明する。
起動信号入力端子２９に、前記光ディスク装置の起動に同期して印加された信号（図９（ａ）参照）の立ち上がりのタイミングに、図９（ｆ）に示すようにレベル検出・保持回路１５の出力状態が初期設定される。
【００４７】
起動信号入力端子２９に印加された起動信号を遅延させて生成された第１，第２のタイミング信号（図９（ｂ）（ｃ）参照）が、それぞれ、時刻Ｔ０におけるレベル検出・保持回路１５の出力の保持、および帯域可変高域通過フィルタ２６の遮断周波数の切り替え（図９（ｄ）参照）に用いられる。
【００４８】
時刻Ｔ１においてＦｃ（Ｈｉｇｈ）におけるレベル検出の結果を保持（ラッチ）する。次に、時刻Ｔ２においては、帯域可変高域通過フィルタ２６の遮断周波数の切り替えが行われる。さらに、時刻Ｔ３において、図９（ｇ）に示す検出結果保持制御信号１６により、レベル検出・保持回路１５のレベル検出の結果が確定的に保持される。この第１の場合は、増幅器１２の帯域は、常時、未調整時と同じくＦａｍｐ（ｉｎｉｔｉａｌ）である。図９（ｅ）は帯域可変高域通過フィルタ２６の出力波形、図９（ｈ）は増幅回路１２の動作電流を表している。
【００４９】
次に、入力信号の帯域の上限Ｆｉｎ（Ｍａｘ）がＦｃ（Ｈｉｇｈ）以下かつＦｃ（Ｌｏｗ）以上である第２の場合について、図１０を用いて説明する。
動作は、前記第１の場合とほぼ同じとなる。時刻Ｔ１において、レベル検出・保持回路１５の出力は、Ｈｉｇｈレベルから中間レベルに遷移する。この出力レベルに対応して、増幅回路１２の動作電流が調整される。
【００５０】
次に、入力信号の帯域の上限Ｆｉｎ（Ｍａｘ）がＦｃ（Ｌｏｗ）以下である第３の場合について、図１１を用いて説明する。
時刻Ｔ１において、レベル検出・保持回路１５の出力は、Ｈｉｇｈレベルから中間レベルに遷移する。時刻Ｔ３において、中間レベルからＬｏｗレベルに遷移する。
【００５１】
この構成の利点は、例えば、動作状態の切り替え信号が与えられる増幅器の場合、動作状態の切り替え直後の一定時間を学習のために割り当てることを定めておくことで、専用の帯域制御信号が不用になることである。
【００５２】
なお、レベル検出・保持回路１５に代わって（実施の形態２）の検波・保持回路２５を採用した場合も、増幅回路１２の動作電流の調整が可能となる。
（実施の形態５）
図５は本発明の（実施の形態５）の増幅器を示す。
【００５３】
図１に示した（実施の形態１）との違いは、レベル検出・保持回路１５の制御信号がタイミング信号生成回路２８で生成された制御信号に変わっている点である。
【００５４】
また、図４に示した（実施の形態４）との違いは、レベル検出・保持回路１５に与えられる検出結果保持制御信号が、タイミング信号生成回路２８から与えられること、および帯域可変高域通過フィルタ２６の遮断周波数の切り替えを行わないことである。
【００５５】
動作を図１２と図１３を用いながら説明する。
まず、入力信号の帯域の上限周波数：Ｆｉｎ（Ｍａｘ）がＦｃ以上である第１の場合について、図１２を用いて説明する。
【００５６】
起動信号の立ち上がりに同期して、レベル検出・保持回路１１の出力状態が、初期設定される。この他の動作についても、図４に示した実施例とほぼ同じ動作である。勿論、フィルタの遮断周波数の切り替え機能が無いので、動作は、図４に示した実施例の説明から、フィルタへのタイミング生成回路出力が無いことが特徴的である。前記第１の場合は、増幅器５０の帯域は、常時、未調整時と同じく、Ｆａｍｐ（ｉｎｉｔｉａｌ）である。
【００５７】
次に、入力信号の帯域の上限Ｆｉｎ（Ｍａｘ）がＦｃ未満である第２の場合について、図１３を用いて説明する。動作は、前記第１の場合とほぼ同じとなる。時刻Ｔ１において、レベル検出・保持回路１１の出力は、Ｈｉｇｈレベルから、Ｌｏｗレベルに遷移する。この出力レベルに対応して、増幅回路５０の動作電流が調整される。
【００５８】
この構成の利点は、例えば、動作状態の切り替え信号が与えられる増幅器の場合、動作状態の切り替え直後の一定時間を学習のために割り当てることを定めておくことで、専用の帯域制御信号が不用になる。
【００５９】
（実施の形態６）
図６は図４と図５の長所を合わせ持つ増幅器で、前記動作電流調整手段Ａは、高域通過フィルタ２６の帯域がタイミング信号発生回路２８で生成される第１のタイミング信号で切り替えられる。レベル検波・保持回路１５は、タイミング信号発生回路２８で生成される第２のタイミング信号を検出したタイミングに高域通過フィルタ２６の出力信号のレベル検波の結果を保持して調整信号発生回路１７に出力する。タイミング信号発生回路２８は、起動信号入力端子２９に外部から与えられる起動信号に基づいて前記第１，第２のタイミング信号を出力する。調整信号発生回路１７は、レベル検波・保持回路１５の出力の大きさに基づいて増幅回路１２の動作電流を調整する。
【００６０】
（実施の形態７）
図７は図１における増幅回路１２が、電流電圧変換回路１に代わっており、電流電圧変換回路１の動作電流値を動作電流調整手段Ａで制御している。
【００６１】
このように、増幅回路１２を電流電圧変換回路１に替えて動作電流値を動作電流調整手段Ａで制御する点については、前記（実施の形態１）〜（実施の形態６）の何れの構成においても同様に実施できる。
【００６２】
（実施の形態８）
図８は（実施の形態７）の具体例を示す。
具体的には、図１４に示した光電変換装置に、動作電流調整手段Ａを付加して構成されている。
【００６３】
（実施の形態９）
上記の各実施の形態では、動作電流調整手段Ａは高域通過フィルタ１４または帯域可変高域通過フィルタ２６を介して、増幅回路１２または電流電圧変換回路１の出力信号を検出し、増幅回路１２または電流電圧変換回路１の動作電流を制御したが、動作電流調整手段Ａは低域通過フィルタを使用して同様に構成することができる。
【００６４】
具体的には、増幅回路１２または電流電圧変換回路１の出力信号を、低域通過フィルタまたは帯域可変低域通過フィルタを介して検出し、検出した信号のレベルが高い場合には、動作電流調整手段Ａが増幅回路１２または電流電圧変換回路１の動作電流を低下させるように制御する。これは、光ディスク装置の光ピックアップの増幅器とした場合には、信号入力端子１１から入力される信号帯域が狭い場合、すなわち、光ディスクの再生速度が低倍速である場合には、増幅回路１２または電流電圧変換回路１の消費電力が低く抑えられるので、光ディスクの回転により発生する層流の放熱効果が低下しても、動作電流調整機能を備えた増幅器を搭載した光ピックアップの温度上昇が軽減され、特性劣化を回避できる。
【００６５】
（実施の形態１０）
上記の各実施の形態では、増幅回路１２または電流電圧変換回路１の出力信号の帯域が低い場合には、動作電流調整手段Ａが増幅回路１２または電流電圧変換回路１の動作電流を低下させるように制御したが、増幅回路１２または電流電圧変換回路１の出力信号の帯域が高い場合には、動作電流調整手段Ａが増幅回路１２または電流電圧変換回路１の動作電流を増加させるように制御するように構成しても同様である。
【００６６】
【発明の効果】
以上のように本発明によれば、光ディスクの信号再生において、低倍速の信号に対しては、増幅回路の動作電流を低減できるので、光ピックアップに放熱対策を施さなくとも、光ピックアップの特性劣化を生じさせない。なお、高倍速の信号に対しては、光ディスクと近接配置されたピックアップ周辺に発生する層流による放熱効果が高まるので、増幅回路からの発熱は、ピックアップの温度上昇を招きにくくなり、放熱対策を施さなくとも、ピックアップの特性劣化を生じさせない。さらには、増幅回路の製造ばらつきにより、動作電流が少ない場合でも動作周波数が十分高い増幅回路が得られた場合には、本質的に必要十分な動作電流を学習することができるので、その学習結果に基づき動作電流が低減されるように制御が行われるので、光ピックアップの発熱を低減することが可能である。
【図面の簡単な説明】
【図１】本発明の（実施の形態１）の増幅器の構成図
【図２】本発明の（実施の形態２）の増幅器の構成図
【図３】本発明の（実施の形態３）の増幅器の構成図
【図４】本発明の（実施の形態４）の増幅器の構成図
【図５】本発明の（実施の形態５）の増幅器の構成図
【図６】本発明の（実施の形態６）の増幅器の構成図
【図７】本発明の（実施の形態７）の増幅器の構成図
【図８】本発明の（実施の形態８）の増幅器の構成図
【図９】本発明の（実施の形態４）の入力信号の帯域の上限Ｆｉｎ（Ｍａｘ）がＦｃ（Ｈｉｇｈ）以上である場合のタイミング図
【図１０】本発明の（実施の形態４）の入力信号の帯域の上限Ｆｉｎ（Ｍａｘ）がＦｃ（Ｈｉｇｈ）以下かつＦｃ（Ｌｏｗ）以上である場合のタイミング図
【図１１】本発明の（実施の形態４）の入力信号の帯域の上限Ｆｉｎ（Ｍａｘ）がＦｃ（Ｌｏｗ）以下である場合のタイミング図
【図１２】本発明の（実施の形態５）の入力信号の帯域の上限周波数：Ｆｉｎ（Ｍａｘ）がＦｃ以上である場合のタイミング図
【図１３】本発明の（実施の形態５）の入力信号の帯域の上限Ｆｉｎ（Ｍａｘ）がＦｃ未満である第２の場合のタイミング図
【図１４】従来の代表的な電流電圧変換回路を備えた光電変換装置の構成図
【図１５】一般的な光ディスク装置の構成図
【符号の説明】
Ａ　　動作電流調整手段
１１　　信号入力端子
１２　　増幅回路
１３　　信号出力端子
１４　　高域通過フィルタ
１５　　レベル検出・保持回路
１６　　検出結果保持制御信号入力端子
１７　　調整信号発生回路
１８　　光ディスク
１９　　スピンドルモータ
２０　　光ピックアップ
２１　　フロントエンドプロセッサ
２２　　サーボコントローラ
２３　　ディジタル信号処理プロセッサ
２４　　システムコントローラ
２５　　　　検波・保持回路
２６　　　　帯域可変高域通過フィルタ
２７　　　　帯域制御信号入力端子
２８　　　　タイミング信号生成回路
２９　　　　起動信号入力端子
【図１】
2004032002.tif 000003
【図２】
2004032002.tif 000004
【図３】
2004032002.tif 000005
【図４】
2004032002.tif 000006
【図５】
2004032002.tif 000007
【図６】
2004032002.tif 000008
【図７】
2004032002.tif 000009
【図８】
2004032002.tif 000010
【図９】
2004032002.tif 000011
【図１０】
2004032002.tif 000012
【図１１】
2004032002.tif 000013
【図１２】
2004032002.tif 000014
【図１３】
2004032002.tif 000015
【図１４】
2004032002.tif 000016
【図１５】
2004032002.tif 000017